(57)【要約】【課題】本発明は印刷用紙の搬送を行うロール紙印字装置に関し、特に回収部に印刷用紙が混入することがなく、より狭いスペースを利用して全画面印刷のプリント出力を行うことができるロール紙印字装置を提供するものである。【解決手段】サーマルヘッド３９によって印字が行われた記録用紙４７は搬送ローラ対５８によって記録用紙切断部６４に送られる。そして、余白部を切断する際、分離ガイド６４ｅを実線位置６４ｅ’に移動し、カッター６４ｂによって切断した余白部４７ａをダストボックス６７に回収する。一方、記録用紙４７から印刷部を切断する際には分離ガイド６４ｅを点線位置６４ｅ”に移動し、ペーパーダクトを介して、画像形成が行われたプリント出力を取り出し口に導く。【選択図】  図３
2004160855.tif 000002
【特許請求の範囲】
【請求項１】
ロール状に巻回された印字用紙を搬送しながら印字手段により該印字用紙上に印字を行い、カッター手段により所定サイズに切断して排紙部に排出するロール紙印字装置において、
前記カッター手段の下流近傍に設けられ、搬送される前記印字用紙の先端部が前記カッター手段により切断されて分離された先端不要部を受けとめる回収部と、
前記印字用紙の先端部の切断完了までは分離される前記先端不要部が前記回収部へ受けとめられ易い第１の位置に待避し、前記先端不要部が切断された以後には切断の結果形成されたその下流に続く印字用紙の先端部が更に搬送される際の前記排紙部への案内部材として機能する第２の位置に進出する移動自在な印字用紙ガイド部材と、
を備えることを特徴とするロール紙印字装置。
【請求項２】
前記印字用紙ガイド部材は、前記第２の位置に進出後、前記印字手段によって印字が行われた前記印字用紙を前記カッター手段によって切断すると同時に、前記第１の位置に移動することを特徴とする請求項１記載のロール紙印字装置。
【発明の詳細な説明】
【０００１】
【発明の属する技術分野】
本発明はサーマルプリンタ等の画像形成装置であり、ロール状に巻装された印字用紙を使用するロール紙印字装置に関する。
【０００２】
【従来の技術】
今日、サーマルプリンタ等の画像形成装置が広く使用され、プリント出力される印刷画像の印字品質も向上している。また最近、全画面印刷（所謂縁無し印刷）が主流になり、例えばロール状に巻装された印字用紙（所謂ロール紙）を使用し、例えばサーマルヘッドによって印字が行われている。上記全画面印刷の場合、印字用紙に印刷を行った後、余白部をカットし、プリント出力を行う。
【０００３】
上記のような構成のサーマルプリンタを使用する発明として、特許文献１がある。この発明は、印刷装置として複数のサーマルプリンタを内蔵し、効率よく多数枚の写真画像を印刷するものである。
図８（ａ）、（ｂ）は従来のロール紙を使用したサーマルプリンタの余白部カット処理を説明する図である。同図（ａ）に示す印字用紙１には、例えば不図示のサーマルヘッドによって写真画像が印刷され、先端には余白が形成されている。この状態において、印字用紙１は矢印方向に送られ、印字用紙１の余白部１ａはカッター２によって切断される。この切断は所定のタイミングで行われ、余白部１ａはダストボックス３に回収される。
【０００４】
その後、印刷が行われた印刷部１ｂは矢印方向に搬送され、同図（ｂ）に示すようにカッター２によって切断され、印字用紙（印刷部１ｂ）は更に排紙ローラ４によって送られ、機外に排出される。
【０００５】
【特許文献１】特開２００１−２８３３２３号公報
【０００６】
【発明が解決しようとする課題】
しかしながら、上記構成によれば以下の問題が発生する。すなわち、印字用紙１の余白部１ａはカッター２によって切断されると、自由落下し、ダストボックス３に回収される。この為、印字用紙１の搬送方向が水平である位置に回収部を設けなければならず、機構上スペースが要求される。
【０００７】
また、印字用紙１としてロール紙を使用する為カールが生じ易く、印字用紙１（印刷部１ｂ）の先端が排紙ローラ４にとどかず、先端がダストボックス３上に垂れ下がる。この為、印字用紙１を切断すると、印刷部１ｂもダストボックス３に落下する。
【０００８】
さらに、静電気の発生によって印字用紙１が搬送路に配設されたガイド板等に貼り付き、用紙詰まりの原因になる。
そこで、本発明は印字用紙の切断、回収部を水平な搬送位置に設ける必要がなく、またダストボックスに印字用紙の印字部が混入することがなく、印字用紙を確実に搬送し、プリント出力を行うことができるロール紙印字装置を提供するものである。
【０００９】
【課題を解決するための手段】
上記課題は請求項１記載の発明によれば、ロール状に巻回された印字用紙を搬送しながら印字手段により該印字用紙上に印字を行い、カッター手段により所定サイズに切断して排紙部に排出するロール紙印字装置において、前記カッター手段の下流近傍に設けられ、搬送される前記印字用紙の先端部が前記カッター手段により切断されて分離された先端不要部を受けとめる回収部と、前記印字用紙の先端部の切断完了までは分離される前記先端不要部が前記回収部へ受けとめられ易い第１の位置に待避し、前記先端不要部が切断された以後には切断の結果形成されたその下流に続く印字用紙の先端部が更に搬送される際の前記排紙部への案内部材として機能する第２の位置に進出する移動自在な印字用紙ガイド部材を備えるロール紙印字装置を提供することによって達成できる。
【００１０】
ここで、印字用紙ガイド部材は印字用紙の先端部である先端不要部が切断される際、上記先端不要部が回収部へ回収され易い第１の位置に待避し、印字用紙の余白部を確実に回収部に回収する。一方、上記先端不要部が切断された後、前記印字用紙ガイド部材は印刷用紙を下流に案内する第２の位置に移動し、印字用紙の案内部材として機能し、回収部に印字用紙が混入することを防止する。
【００１１】
また、このように構成することにより、印字用紙ガイド部材が第１の位置と第２の位置に移動し、印字用紙の余白部と印刷部の排出方向を捌くので印字用紙の切断、回収部を水平な搬送位置に設ける必要がない。
請求項２の記載は、請求項１記載の発明において、前記印字用紙ガイド部材は、前記第２の位置に進出後、前記印字手段によって印字が行われた前記印字用紙を前記カッター手段によって切断すると同時に、前記第１の位置に移動する構成である。
【００１２】
このように構成することにより、カッター手段によって切断された印字用紙が切断と同時に揺動する印字用紙ガイド部材によって跳ね上げられ、ガイド部材等への貼り付きが防止される。したがって、例えば印字用紙が静電気を帯びている場合でも貼り付くことがなく、確実にプリント出力することができる。
【００１３】
【発明の実施の形態】
以下、本発明のロール紙印字装置について、図面を参照しながら実施形態を詳述する。尚、本実施形態の説明では、本発明のロール紙印字装置を自動写真販売機に使用する例で説明する。
【００１４】
図１は本実施形態のロール紙印字装置の例であるサーマルプリンタが搭載された自動写真販売機の外観構成を示す。同図に示すように、自動写真販売機１５は、装置正面に表示／操作部（ディスプレイ＆タッチパネル）１６、キー入力部１７、記録メディア挿入口１８（１８ａ〜１８ｅ）、ＬＥＤ１９（１９ａ〜１９ｅ）、金額表示部２１、料金挿入口２２（２２ａ、２２ｂ）、中止ボタン２３、レシート挿入口２４、レシート排紙口２５、料金返却口２６、及び取り出し口２７が設けられている。また、自動写真販売機１５の左右の側面には、それぞれ補助表示部２８が設けられている。
【００１５】
表示／操作部（ディスプレイ＆タッチパネル）１６は、液晶ディスプレイの表示部と、液晶ディスプレイに表示されるキーや、ボタン、アイコン等を例えば指で操作する操作部で構成されている。表示／操作部（ディスプレイ＆タッチパネル）１６には、例えばデジタルカメラ等で撮影した画像情報がサムネイル表示され、有料モード又は無料モードの選択アイコン等も表示される。また、表示／操作部（ディスプレイ＆タッチパネル）１６の上記表示に従って、例えばユーザはサムネイル表示された画像情報を選択し個別に印刷枚数の指定操作を行い、また有料モード又は無料モードの選択操作等を行う。尚、これらの入力操作についてはキー入力部１７によっても同様に行うことができる。
【００１６】
補助表示部２８は、液晶ディスプレイで構成され、表示／操作部（ディスプレイ＆タッチパネル）１６の液晶ディスプレイに表示される内容と同一のものが表示されるか、又は宣伝広告等が表示される。すなわち、補助表示部２８には通常、自動写真販売機１５の利用を待つ人や周辺の人に対し販売促進のための宣伝広告等を表示し、または複数のユーザが自動写真販売機１５を一緒に利用する場合には、操作／表示部（ディスプレイ＆タッチパネル）１６の液晶ディスプレイに表示された内容と同一の内容を表示して実際に操作しているユーザ以外の者に対しても同一内容のものを表示できるように配慮している。尚、表示内容の切り替えは、ユーザによる表示／操作部（ディスプレイ＆タッチパネル）１６及びキー入力部１７の操作により行うことができる。
【００１７】
記録メディア挿入口１８ａ〜１８ｅは、複数種の記録メディア（情報記憶媒体）の挿入口であり、フラッシュメモリカードの挿入口１８ａ、スマートメディアカードの挿入口１８ｂ、メモリースティックの挿入口１８ｃ、ＰＣカードの挿入口１８ｄ、フロッピー（登録商標）ディスクの挿入口１８ｅである。上記記録メディア挿入口１８には、各種メディアに対応できるよう各種記録メディアに対応するデータ読み出し装置が内蔵されている。また、静電気による各記録メディアの破損や装置本体の破損を考慮して静電気除去用の除電ブラシも設けられている。
【００１８】
尚、各記録メディア挿入口１８は下向きに設けられている。これは、各記録メディアが挿入されたときに、記録メディアの先端が記録メディア挿入口１８に比べて所定量高くなる位置に配置されるためである。従って、各記録メディアに接続される、各記録メディア挿入口１８内部のコネクター部も下向きに配置される。このような構成は、コネクター接点部へのほこり等の付着を防止し、電気的接続を確実にするための構成である。また、その他にもコネクター部近傍にファンを設けてほこり等の付着を防止するようにしても良い。このような防塵対策により、戸外のようなほこりの多い環境においても装置の信頼性を確保できる。
【００１９】
また、上記記録メディアには例えばデジタルカメラ等で撮影したデジタル画像情報が複数の単位画面情報として書き込まれている。尚、これらの記録メディアに書き込まれたデジタル画像の情報は、スキャナ等から読み出したイメージデータをデジタル画像データに変換したデータであってもよい。
【００２０】
ＬＥＤ１９ａ〜１９ｅは、各記録メディア挿入口１８ａ〜１８ｅに対応して設けられ、各記録メディア挿入口１８ａ〜１８ｅに対応する記録メディアが挿入されているときに、それに対応するＬＥＤ１９が点灯する。例えば、メモリスティックが挿入されているとき、それに対応するＬＥＤ１９ｃが点灯し、これによりユーザはメモリスティックが挿入されていることを確認できる。尚、メモリースティックの場合、不図示のスティック装着部が本体より引き出し可能に構成されており、このスティック装着部にメモリースティックを装着して装着部を装置本体内に装填する構成となっている。
【００２１】
また、料金挿入口２２及び料金返却口２６は自動写真販売機１５を有料で使用する場合に使用する構成であり、料金挿入口２２ａから紙幣を挿入し、料金挿入口２２ｂから硬貨を投入する。このとき、入金された金額は金額表示部２１に表示される。また、料金返却口２６には釣り銭の返却やユーザが途中で利用を中止したときに料金が返却される。
【００２２】
中止ボタン２３は、ユーザが自動写真販売機１５の利用を途中で中止したい場合に押されるボタンである。
また、レシート排紙口２５は所定の情報を印刷したレシートを排紙する排紙口であり、またレシート挿入口２４は上記レシートが挿入される挿入口である。
【００２３】
また、取り出し口２７は印刷出力を取り出すボックスであり、印刷されたプリント用紙（写真）は取り出し口２７に集められる。また、小型の簡易アルバム等の付加部材も希望によってこの取り出し口２７に出力される。
図２（ａ），（ｂ），（ｃ）  は、上記外観構成の自動写真販売機１５の内部構造を説明する図であり、同図（ａ）  は自動写真販売機１５の分解斜視図、同図（ｂ）  は自動印刷販売機１５のフロントユニットと中間のペーパーダクトを取り除いた後述するリアユニットの正面図、同図（ｃ）  はリアユニットにフロントユニットとペーパーダクトを取り付けた全体の側断面図である。
【００２４】
同図（ａ），（ｂ），（ｃ）  に示すように、自動写真販売機１５はフロントユニット３０、ペーパーダクト３１、及びリアユニット３２から構成される。フロントユニット３０は、本体装置に対し左または右に開閉自在に配設され、自動写真販売機１５の全体的な制御を行うメインコントローラや前述の操作／表示部（タッチパネル＆液晶ディスプレイ）１６、取り出し口２７等を備えている。
【００２５】
ペーパーダクト３１は印刷された用紙を取り出し口２７へ導くための構成であり、一方の端部上下にある支持部３３ａ、３３ｂによりフロントユニット３０に枢着され、フロントユニット３０を開いたとき、この支持部３３ａ、３３ｂを中心に自在に回動するよう取り付けられている。
【００２６】
また、リアユニット３２は、同図（ｂ）  に示すように、複数台、本例では８台の着脱自在なプリンタユニット３４（３４−１〜３４−８）を、縦に４台、横に２列、つまり鉛直方向に４台、及び水平方向に２台並設されている。そして、これらのプリンタユニット３４にそれぞれ対応する本体装置の前後水平方向に伸縮する複数対（本例では８対）の同図（ａ）  に示すスライドレール３５が配設されている。またリアユニット３２は、裏面の制御ボックス３６内に、特には図示しないが、制御装置を搭載した回路基板や電源ユニット等を備えている。
【００２７】
尚、上記の各プリンタユニット３４は、同図（ａ）  に示すように、本体装置前方に引き出されたスライドレール３５上をスライドしてリアユニット３２の所定の位置へ装着される。従って、各プリンタユニット３４において、プリント用紙等の消耗品が無くなったときには、プリンタユニット３４ごと取り外して、消耗品を補充した後、再びスライドレール３５に係合させて元の位置に装着することが容易にできる。
【００２８】
また、各プリンタユニット３４は、それぞれ後部にコネクタ部を備え、装着と同時にこのコネクタ部がリアユニット３２に設けられるコネクタ部と連結される。また、リアユニット３２のコネクタ部は、自動写真販売機１５を組み立てた状態でフロントユニット３０とも電気的に接続される。従って、各プリンタユニット３３はこのコネクタ部を介して、電源ユニットからの電源電圧の供給やフロントユニットとの各種信号の送受が行われる。
【００２９】
制御装置は、フロントユニット３０の前述した記録メディア挿入口１８から挿入されたフラッシュメモリカード、スマートメディアカード、メモリースティック、ＰＣカード、フロッピー（登録商標）ディスク等の情報記憶媒体の画像情報を読み取り、料金挿入口２２からの入金額を調べ、釣り銭等があれば返却処理を行い、表示／操作部（ディスプレイ＆タッチパネル）１６又はキー入力部１７からの入力に基づいて印刷画像の選定、印刷枚数、印刷サイズ等を決定し、印刷画像の枚数に応じてその印刷画像を８台のプリンタユニット３４に最適に配分する。
【００３０】
したがって、８枚以内の印刷であれば８台のプリンタユニット３４で分担して印刷した８枚以内の画像形成済み用紙を、取り出し口２７に一度に排出することができる。つまり、一枚の印刷と同様の短時間で８枚まで同時に印刷して排出できる。各プリンタユニット３４によって印刷された用紙Ｐは、同図（ｃ）  の矢印に示すようにペーパーダクト３１に導かれてガイド板に沿って自重で滑り落ち、最下部に配置されているフロントユニット３０の取り出し口２７に集められる。
【００３１】
図３は上記プリンタユニット３４の中、ある１台のユニット断面図である。同図に示すように、プリンタユニット３４はプリント実行部３７及びロール紙給紙部３８を備えている。プリント実行部３７は、サーマルヘッド３９とプラテンローラ４１が対向配置されている。サーマルヘッド３９は大きく湾曲して形成されたヘッドアーム４２の一端に支持され、ヘッドアーム４２の他端は支持軸４３に支持されている。
【００３２】
上記の支持軸４３には装置本体の上部にある開閉蓋４４の後端部も同様に支持されており、この開閉蓋４４とサーマルヘッド３９との間にヘッド加圧スプリング４５が介装され、サーマルヘッド３９は揺動自在にプラテンローラ４１に圧接する。このサーマルヘッド３９とプラテンローラ４１との圧接部にインクリボン４６と用紙４７が重ねて挟持される。
【００３３】
インクリボン４６は、供給リール４８にロール状に巻着されてインクリボンロール４６ａとして本体装置に供給される。上記の開閉蓋４４は、不図示の開閉レバーを操作することによって支持軸４３を支点にしてサーマルヘッド３９と共に上に回動して開成する。この開閉蓋４４が開成した状態で、インクリボンロール４６ａを巻着した供給リール４８を供給リール支持部４９に装着することができる。
【００３４】
新しいインクリボンロール４６ａを巻着した供給リール４８を供給リール支持部４９に装着するに際しては、先ず使用済みのインクリボン４６′を一杯に捲きとった状態の巻取リール５１を取り外して廃棄し、詳しくは後述するが、新しいインクリボンロール４６ａを巻着した供給リール４８と一対になっている新たな巻取リール５１を巻取リール支持部５２に装着し、新しいインクリボンロール４６ａを巻着した供給リール４８を供給リール支持部４９に装着してそのインクリボンロール４６ａのインクリボン４６先端のリード部を引き出して巻取リール５１に固定する。尚、この固定は、特には図示しないが、自動的に行われるようになっている。
【００３５】
また、これにより、インクリボン４６は、リボンガイドローラ５３及び巻取ローラと巻取ピンチローラとからなる巻取ローラ対５４間に張り渡され、開閉蓋４４の閉成と共に上から降下するサーマルヘッド３９によりプラテンローラ４１間に挟持される。
【００３６】
上記巻取ローラ対５４の巻取ローラには端部に不図示のエンコーダが取り付けられており、エンコーダの回転量すなわち巻取ローラの回転量がエンコーダのスリットを通過してこれも不図示のフォトセンサで読みとられる光のオン／オフによって監視される。これにより、インクリボン４６の搬送量が検出される。
【００３７】
また、リボンガイドローラ５３のリボン搬送方向下流側の近傍には、インクリボン４６のインク面（図では下面）の色やマークを検出するためのリボンセンサ５５が配設されている。そして、開閉蓋４４のサーマルヘッド３９の上に位置する部分には、サーマルヘッド３９の放熱によって装置内部が高温になる不具合を防止するために装置内部を空冷するためのファン５６が配置されている。
【００３８】
上記の供給リール支持部４９は不図示の供給クラッチを介して不図示の供給ギアに連結され、巻取リール支持部５２は、これも不図示の巻取クラッチを介して不図示のリボン巻取ギアに連結されている。リボン巻取ギアは不図示のリボン巻取りモータにギア列を介して連結されている。そして、このギア列の途中から分岐した系のトルクリミッタを介して上記の巻取ローラ対５４の巻取ローラがリボン巻取りモータに連結されている。
【００３９】
他方の用紙４７は、給紙部３８に用紙ロール４７ａとして収納されており、用紙ロール４７ａは、円筒支持体７０に巻回されてロール紙給紙部３８に収容されている。そして、巻回している用紙ロール４７ａの幅よりも長い円筒支持体７０の外方に露出する両側端部７０−１、７０−１（図では手前側の端部７０−１しか見えない）が、ロール紙給紙部３８の２つの支えコロ７１ａ及び７１ｂによって下方から支持されている。また、円筒支持体７０の両端部７０−１、７０−１の上部には押えコロ７２が圧接している。
【００４０】
押えコロ７２は、支持軸７３を支点にして押え位置と退避位置とに回動可能に配置され、円筒支持体７０を交換、つまり新たな用紙ロール４７ａを装着するときは退避位置まで反時計回り方向に回動し、用紙ロール４７ａ装着後は図に示す押え位置まで時計回り方向に回動して、不図示の付勢部材からの付勢力を受けて円筒支持体７０の端部７０−１、７０−１に圧接する。
【００４１】
この記録用紙４７は、給紙部３８上方の開口部を通過して、プリント実行部３７側の下部に設けられた用紙ガイドローラ５７に案内されてサーマルヘッド（熱転写記録ヘッド）３９とプラテンローラ４１とが対向する印字部に搬入される。印字部にはインクリボン４６が張設されている。
【００４２】
上記の記録用紙４７は、インクリボン４６と共にサーマルヘッド３９とプラテンローラ４１とにより印字部に圧接・挟持される。記録用紙４７は、プラテンローラ４１の図の反時計回り方向への回転により、印字部においてインクリボン４６のインクを逐次転写されて図の左方へ搬送される。インクリボン４６は、未使用部分が供給リール４８に卷着されて保持され、使用済み部分が巻取リール５１に巻き取られながら、記録用紙４７と共に印字部を図の左方へ搬送される。
【００４３】
ここで印刷済みとなった印刷済み用紙４７′は、先端を搬送ローラ対５８に挟持され、ＬＥＤ５９ａとフォトトランジスタ５９ｂからなる用紙センサ５９間を通過した後、上部ガイド６１ａと下部ガイド６１ｂで形成される通紙路を通過し、搬送ローラ対６３によって記録用紙切断部６４に送られる。
【００４４】
記録用紙切断部６４は、搬送方向ガイド板６４ａ、カッター６４ｂ、フレーム６４ｄ、分離ガイド６４ｅで構成され、記録用紙切断部６４の下方にはダストボックス６７が設けられている。尚、分離ガイド６４ｅは、詳しく後述するように実線位置（第１の位置）と点線位置（第２の位置）を移動可能に構成され、記録用紙４７（印刷済み用紙４７′）の余白部を切断する際実線位置に移動し、印刷部分を切断する際点線位置に移動する。
【００４５】
また、余白部は後述するようにカッター６４ｂによって切断されダストボックス６７に回収され、印刷部はカッター６４ｂによって切断された後、前述のペーパーダクト３１を介してフロントユニット３０の取り出し口２７に排出される。
図４は上記自動写真販売機１５の制御システムを説明する図である。
本システムは、メインコントローラ８０を中心に周辺回路、及び前述のプリンタユニット３４で構成されている。
【００４６】
メインコントローラ８０は内部にＣＰＵ（中央処理装置）を有し、プログラムに従って本形態の自動写真販売機１５の駆動制御を行い、例えば所定の条件に基づき、プリント用紙１枚分の印刷情報をプリンタユニット３４の何れかに分配制御する。
【００４７】
また、メインコントローラ８０には記憶部８１が設けられ、この記憶部８１は前述のメインコントローラ８０が行う制御プログラムを記憶する。また、その他ユーザ情報、印刷条件情報、及びプリンタユニット３４の情報等が記憶され、必要に応じて後述するセンターへ転送される。また、記憶部８１にはセンターから送られる広告情報等も記憶され、この広告情報は所定の時間間隔で更新される。
【００４８】
また、メインコントローラ８０には、ディスプレイ制御部８２、タッチパネル制御部８３、キー入力部８４、カードインターフェイス（以下、カードＩ／Ｆで示す）８５、料金管理部８６、レシートインターフェイス（以下、レシートＩ／Ｆで示す）８７、送受信部８８、及び前述のプリンタユニット３４が接続されている。
【００４９】
ディスプレイ制御部８２は前述の操作／表示部（タッチパネル＆液晶ディスプレイ）１６に表示する表示情報の出力制御を行い、メインコントローラ８０から出力される表示情報を操作／表示部（タッチパネル＆液晶ディスプレイ）１６、及び補助表示部２８に表示する。
【００５０】
また、タッチパネル制御部８３はユーザによるタッチパネルの操作に従った操作信号をメインコントローラ８０に出力制御する。また、キー入力制御部８４はユーザによるキー操作に従った操作信号をメインコントローラ８０に出力制御する。
【００５１】
また、カードＩ／Ｆ８５は、前述の記録メディア挿入口１８ａ〜１８ｅに挿入される各記録メディアからデジタル画像情報を読み出し、メインコントローラ８０へ出力制御するインターフェイスである。また、料金管理部８６は前述の料金挿入口２２から入金された金額を計算する。
【００５２】
一方、送受信部８８はＰＨＳ回線を用いて基地局８９ａと情報の授受を行い、基地局８９ａは公衆回線網８９ｂ等を用いてセンター８９ｃと接続されている。センター８９ｃは、例えば各種企業と契約を結び、多くの広告情報を記憶部８９ｄに記憶する。また、記憶部８９ｄは、その他、各自動写真販売機１５から送られるユーザ情報、印刷条件情報、及びプリンタユニット３４の情報等を記憶する。すなわち、サーバ８９ｅは、必要に応じて、記憶部８９ｄに記憶された広告情報やユーザ情報等を公衆回線網８９ｂに送信し、また公衆回線網８９ｂを介して供給されるユーザ情報やプリンタユニット３４の情報等を受信する。
【００５３】
一方、前述の８台のプリンタユニット３４−１〜３４−８は同じ構成であり、図４に示すＡは、あるプリンタユニット３４の回路ブロックを示す。プリンタユニット３４はコントロール部９０、インターフェイス（以下、Ｉ／Ｆで示す）９１、印刷データ記憶部９２、印刷機構部９３で構成されている。
【００５４】
コントロール部９０は、メインコントローラ８０からＩ／Ｆ８１を介して供給されるプリント用紙１枚分の印刷情報の供給を受け、一旦これを印刷データ記憶部９２に記憶する。また、広告画像データもメインコントローラ８０からＩ／Ｆ９１を介して受け取り、印刷データ記憶部９２内で合成展開される。コントロール部９０は、メインコントロール部８０から、印刷濃度、色調、合成画像の配置などの指定情報が送られてくると、これに対応した画像データに修正又は補正する処理を印刷データ記憶部９２を用いて加工処理する。
【００５５】
コントロール部９０は印刷データ記憶部９２からプリント用紙１枚分の印刷情報を読み出し、これに基づき画像データを作成し、これを前述のサーマルヘッド３９に供給する。そして、サーマルヘッド３９は供給される画像データに従い発熱素子を駆動し、インクリボン上のイエロー（Ｙ）、マゼンダ（Ｍ）、シアン（Ｃ）のインクを記録用紙４７に順次転写し、画像形成を行う。
【００５６】
一方、上記記録用紙４７の搬送制御、記録用紙４７の切断制御も上記コントロール部９０が行い、コントロール部９０から出力される制御信号によって印刷機構部９３を駆動する。この印刷機構部９３には前述のカッター６４ｂを駆動するカッター駆動部や、分離ガイド６４ｅを駆動する駆動部も含まれ、コントロール部９０から出力される制御信号によってカッター６４ｂ及び分離ガイド６４ｅを駆動する。尚、カッター６４ｂ及び分離ガイド６４ｅの駆動動作については後述する。
【００５７】
図５は上記記録用紙切断部６４の具体的な構成を示す図である。前述のように記録用紙切断部６４は搬送方向ガイド板６４ａ、カッター６４ｂ、フレーム６４ｄ、分離ガイド６４ｅで構成され、分離ガイド６４ｅは矢印方向に移動可能に構成されている。
【００５８】
ここで、搬送方向ガイド板６４ａは上下のガイド板６４ａ’、６４ａ”で構成され、同図に示すように記録用紙の搬送方向を変える。この搬送方向ガイド板６４ａの内面（特に、上ガイド板６４ａ’の下面）は滑らかに形成され、記録用紙の先端が上ガイド板６４ａ’の下面に接した際、抵抗なく滑らかに記録用紙をカッター６４ｂの配設方向に変更できる。
【００５９】
カッター６４ｂはカッター駆動部６４ｃに取り付けられ、カッター駆動部６４ｃには前述のコントロール部９０から制御信号が供給される。カッター６４ｂはカッター駆動部６４ｃの駆動によって矢印方向に駆動し、記録用紙を切断する。また、カッター６４ｃの下方にはフレーム６４ｄが配設され、切断前の記録用紙（余白部又は印刷部）の搬送をガイドする。
【００６０】
分離ガイド６４ｅは前述のように、同図に示す実線位置６４ｅ’と点線位置６４ｅ”に移動可能であり、記録用紙４７の余白部を切断する際、又は印刷部を切断する際、対応する位置に移動する。例えば、分離ガイド６４ｅが実線位置６４ｅ’に位置する時余白部を切断し、分離ガイド６４ｅが点線位置６４ｅ”に位置する時印刷部を切断する。
【００６１】
以上の構成において、以下に記録用紙切断部６４の動作を説明する。図６（ａ）、（ｂ）は上記記録用紙切断部６４の動作を説明する図である。尚、同図（ａ）、（ｂ）に示す図では、搬送方向ガイド板６４ａは省略している。
先ず、前述のようにサーマルヘッド３９によって印字が行われた記録用紙４７（印刷済み用紙４７′）は搬送ローラ対５８によって搬送され、上部ガイド６１ａと下部ガイド６１ｂで形成される通紙路を通過し、更に搬送ローラ対６３によってガイド板６４ａに導かれ、カッター６４ｂの位置に達する。ここで、記録用紙４７の先頭には画像（例えば、写真画像）が印刷されていない余白部４７ａが位置し、この余白部４７ａがカッター６４ｂを通過するまで搬送される。
【００６２】
この時、分離ガイド６４ｅは図５に示す実線位置６４ｅ’に位置し、記録用紙４７の余白部４７ａが分離ガイド６４ｅに当接することはない。その後、余白部４７ａと印刷部４７ｂの境目がカッター６４ｂの位置に達すると記録用紙４７の搬送が停止する。尚、このタイミングは前述のコントロール部９０の制御によって行われ、例えば搬送ローラ対６３等の駆動を制御して行う。この状態においてカッター６４ｂを駆動する。尚、この駆動もコントロール部９０の制御に基づいて行われる。
【００６３】
図６（ａ）はカッター６４ｂを駆動し、記録用紙４７の先頭に位置する余白部４７ａを切断する状態を示す図である。前述のように、この時分離ガイド６４ｅは余白部４７ａの落下を妨げない位置であり、切断された余白部（切れ端）４７ａは、同図（ａ）に矢印で示す方向に落下し、前述のダストボックス６７に回収される。
【００６４】
次に、分離ガイド６４ｅはコントロール部９０の制御によって移動し、同図（ｂ）に示す位置に設定され、記録用紙４７の搬送が行われる。この時、分離ガイド６４ｅは搬送される記録用紙４７（印刷部４７ｂ）を排紙部に案内する位置であり、印刷部４７ｂを同図（ｂ）に示すように斜め下方に送る。
【００６５】
その後、記録用紙４７の印刷部４７（４７ｂ）の終端がカッター６４ｂの位置に達すると搬送を停止し、カッター６４ｂを駆動する。記録用紙４７から切断された印刷部４７ｂは、そのまま斜め下方に落下し、前述のペーパーダクト３１を介して取り出し口２７に排出される。
【００６６】
以上説明したように、本例によれば分離ガイド６４ｅを設け、記録用紙４７の余白部４７ａと印刷部４７ｂを分離し、それぞれ別の方向に捌く構成としたので、印刷部４７ｂが誤ってダストボックス６７に混入することがない。
また、記録用紙切断部６４を記録用紙の水平搬送部に設ける必要がなく、スペースの有効利用が可能になる。
【００６７】
尚、上記実施形態の説明では印刷部４７ｂを斜め下方に落下させる構成としたが、図７に示すように印刷部４７ｂを切断すると同時に分離ガイド６４ｅを矢印方向に移動し、印刷部４７ｂの落下を補助する構成としてもよい。このように構成することにより、切断された印刷部４７ｂは左方向に跳ね上がり、印刷部４７ｂ（画像が印刷されたプリント）を確実に回収することができる。すなわち、印刷部４７ｂが静電気を帯び、フレーム６４ｄ等に付着する危険性がある場合でも、印刷部４７ｂを跳ね上げ、確実に用紙取り出し口２７に排出することができる。
【００６８】
【発明の効果】
以上説明したように、本発明によれば画像が印刷されたプリント出力をダストボックスに混入させることがない。
また、記録用紙切断部の配設位置をより自由に設定でき、例えば斜めに傾斜する位置にも設置可能である。
【００６９】
さらに、印刷用紙が静電気を帯びでいる場合でも他の部材に付着することなく、確実にプリント出力させることができる。
【図面の簡単な説明】
【図１】本実施形態のロール紙印字装置が搭載された自動写真販売機の外観構成を示す図である。
【図２】（ａ），（ｂ），（ｃ）  は、自動写真販売機の内部構造を説明する図であり、（ａ）  は自動写真販売機の分解斜視図、（ｂ）  は自動印刷販売機のフロントユニットと中間のペーパーダクトを取り除いた後述するリアユニットの正面図、（ｃ）  はリアユニットにフロントユニットとペーパーダクトを取り付けた全体の側断面図である。
【図３】プリンタユニットの側断面図である。
【図４】プリンタユニットの回路ブロックを示す図である。
【図５】記録用紙切断部の構成図である。
【図６】（ａ）は記録用紙の余白部を切断する処理を示す図であり、（ｂ）は記録用紙の印刷部を切断する処理を示す図である。
【図７】本例の記録用紙切断部の他の例を説明する図である。
【図８】（ａ）、（ｂ）は、従来のロール紙を使用したサーマルプリンタの余白部カット処理を説明する図である。
【符号の説明】
１５  自動写真販売機
１６  表示／操作部（ディスプレイ＆タッチパネル）
１７  キー入力部
１８（１８ａ〜１８ｅ）  記録メディア挿入口
１９  ＬＥＤ
２１  金額表示部
２２（２２ａ、２２ｂ）  料金挿入口
２３  中止ボタン
２４  レシート挿入口
２５  レシート排紙口
２６  料金返却口
２７  取り出し口
２８  補助表示部
３０  フロントユニット
３１  ペーパーダクト
３２  リアユニット
３３ａ、３３ｂ  支持部
３４（３４−１〜３４−８）  プリンタユニット
３５  スライドレール
３６  制御ボックス
３７  プリント実行部
３８  ロール紙給紙部
３９  サーマルヘッド
４１  プラテンローラ
４２  ヘッドアーム
４３  支持軸
４４  開閉蓋
４５  ヘッド加圧スプリング
４６  インクリボン
４６ａ  インクリボンロール
４６′  使用済みインクリボン
４６−２  インク塗布面
４７  用紙
４７ａ  用紙ロール
４７ｂ  用紙ロール側面
４７′  印刷済み用紙
４８、４８′  供給リール
４９  供給リール支持部
４９′  アダプタ
５１  巻取リール
５２  巻取リール支持部
５３  リボンガイドローラ
５４  巻取ローラ対
５５  リボンセンサ
５６  ファン
５７  用紙ガイドローラ
５８  搬送ローラ対
５９  用紙センサ
５９ａ  ＬＥＤ
５９ｂ  フォトトランジスタ
６１ａ  上部ガイド
６１ｂ  下部ガイド
６２  カッター前ローラ対
６４  記録用紙切断部
６４ａ  搬送方向ガイド板
６４ｂ  カッター
６４ｃ  カッター駆動部
６４ｄ  フレーム
６４ｅ  分離ガイド
６４ｅ’  実線位置
６４ｅ”  点線位置
６７  ダストボックス
６８  反射型フォトセンサ
７０  円筒支持体
７０−１  端部
７０−２  円筒空間
７１ａ、７１ｂ  支えコロ
７２  押えコロ
７３  支持軸
８０  メインコントローラ
８１  記憶部
８２  ディスプレイ制御部
８３  タッチパネル制御部
８４  キー入力部
８５  カードインターフェイス
８６  料金管理部
８７  レシートインターフェイス
８８  送受信部
８９ａ  基地局
８９ｂ  公衆回線網
８９ｃ  センター
８９ｄ  記憶部
８９ｅ  サーバ
９０  コントロール部
９１  インターフェイス
９２  印刷データ記憶部
９３  印刷機構部
【図１】
2004160855.tif 000003
【図２】
2004160855.tif 000004
【図３】
2004160855.tif 000005
【図４】
2004160855.tif 000006
【図５】
2004160855.tif 000007
【図６】
2004160855.tif 000008
【図７】
2004160855.tif 000009
【図８】
2004160855.tif 000010